(57)【特許請求の範囲】
【請求項１】
長手方向を水平かつ互いに平行にして配置され上面視で前記長手方向に直交する方向に配列された一端相、中相および他端相から成る三相の遮断器タンクを有する三相の遮断器と、
各相の遮断器の上部に設けられた第１のブッシングと、
前記各相の遮断器の上部に設けられ、前記第１のブッシングから前記長手方向に間隔をおいて配置された各相の断路器と、
前記各相の断路器の上部に設けられた第２のブッシングと、
一端相の断路器と中相の断路器とを連結するとともに前記中相の断路器と他端相の断路器とを連結する断路器用連結ロッドに連結され、当該断路器用連結ロッドを駆動することで前記三相の断路器を一括して操作する断路器用操作装置と、
を備え、
中相の遮断器に接続された前記第２のブッシングは鉛直方向に延伸し、
両端相の遮断器にそれぞれ接続された前記第２のブッシングは、各先端部が前記中相の遮断器に接続された前記第２のブッシングの先端部から離れるように互いに逆方向に傾斜し、
前記中相の遮断器の高さは、前記断路器用連結ロッドが前記三相の断路器にわたって同一直線上に配置されるように、前記両端相の遮断器の高さよりも低く設定されていることを特徴とするガス絶縁開閉装置。
【請求項２】
前記各相の断路器と前記第２のブッシングとの間に設けられた各相の接地開閉器と、
一端相の接地開閉器と中相の接地開閉器とを連結するとともに前記中相の接地開閉器と他端相の接地開閉器とを連結する接地開閉器用連結ロッドに連結され、当該接地開閉器用連結ロッドを駆動することで前記三相の接地開閉器を一括して操作する接地開閉器用操作装置と、
を備えることを特徴とする請求項１に記載のガス絶縁開閉装置。
【請求項３】
前記第１のブッシングは、先端部が前記第２のブッシングの先端部から離れるように傾斜していることを特徴とする請求項１に記載のガス絶縁開閉装置。
【請求項４】
前記三相の遮断器を支持する架台を備え、
前記中相の遮断器は、前記架台の頂部に設けられた凹状の部位にて支持されることで、前記両端相の遮断器よりも低い高さに設定されることを特徴とする請求項１に記載のガス絶縁開閉装置。
【請求項５】
前記各相の断路器は、接地開閉器付の断路器であることを特徴とする請求項１に記載のガス絶縁開閉装置。
【請求項６】
長手方向を水平かつ互いに平行にして配置され上面視で前記長手方向に直交する方向に配列された一端相、中相および他端相から成る三相の遮断器タンクを有する三相の遮断器と、
各相の遮断器の上部に設けられた第１のブッシングと、
前記各相の遮断器の上部に設けられ、前記第１のブッシングから前記長手方向に間隔をおいて配置された各相の断路器と、
前記各相の断路器の上部に設けられた各相の接地開閉器と、
前記各相の接地開閉器の上部に設けられた第２のブッシングと、
一端相の断路器と中相の断路器とを連結するとともに前記中相の断路器と他端相の断路器とを連結する断路器用連結ロッドに連結され、当該断路器用連結ロッドを駆動することで前記三相の断路器を一括して操作する断路器用操作装置と、
一端相の接地開閉器と中相の接地開閉器とを連結するとともに前記中相の接地開閉器と他端相の接地開閉器とを連結する接地開閉器用連結ロッドに連結され、当該接地開閉器用連結ロッドを駆動することで前記三相の接地開閉器を一括して操作する接地開閉器用操作装置と、
を備え、
中相の遮断器に接続された前記第２のブッシングは鉛直方向に延伸し、
両端相の遮断器にそれぞれ接続された前記第２のブッシングは、各先端部が前記中相の遮断器に接続された前記第２のブッシングの先端部から離れるように互いに逆方向に傾斜し、
前記中相の遮断器の高さは、前記断路器用連結ロッドが前記三相の断路器にわたって同一直線上に配置され、または、前記接地開閉器用連結ロッドが前記三相の接地開閉器にわたって同一直線上に配置されるように、前記両端相の遮断器の高さよりも低く設定されていることを特徴とするガス絶縁開閉装置。
【発明の詳細な説明】
【技術分野】
【０００１】
本発明は、水平な遮断器タンクを備えた相分離型のガス絶縁開閉装置に関する。
【背景技術】
【０００２】
特許文献１に記載された相分離型のガス遮断器では、三相の遮断器タンクが長手方向を水平かつ互いに平行にして同じ高さで配置され、各相の遮断器タンクの上部にはブッシングが設けられている。また、三相の遮断器タンクの中央に位置する中相の遮断器タンクは鉛直方向に立設されたブッシングを有するのに対し、中相の遮断器の両側に位置する両端相の遮断器タンクは互いに逆方向に傾斜したブッシングを有する(同文献の図８参照)。【０００３】
また、特許文献１に記載された構成をガス絶縁開閉装置に適用し、さらに各相のブッシングの下部に断路器を配置した場合、三相の断路器の中央に位置する中相の断路器の高さが当該中相の断路器の両側に位置する両端相の断路器の高さよりも高くなる。そのため、三相の断路器を一括して操作装置で操作する構成において、操作装置と各相の断路器とを連結する連結位置は、中相の断路器と両端相の断路器とでは異なる高さとなる。
【先行技術文献】
【特許文献】
【０００４】
【特許文献１】特開平６−１１９８５３号公報
【発明の概要】
【発明が解決しようとする課題】
【０００５】
上記従来のガス遮断器では、両端相の遮断器タンクのブッシングが傾斜しているので、当該両端相のブッシングの高さが抑制される。しかしながら、中相の遮断器タンクのブッシングは鉛直方向に伸びているので、当該中相のブッシングの高さが輸送制限を越える可能性がある。そのため、輸送時に少なくとも中相のブッシングを遮断器から取り外して別送する必要があり、取り外しおよび組立の作業が必要になるとともに、輸送コストも増大する。【０００６】
また、両端相のブッシングを傾斜させ、各相のブッシングの下部に断路器を配置し、三相の断路器を操作装置で一括して操作する構成では、操作装置と各相の断路器とを連結する連結機構は、中相の断路器に連結される位置の高さが両端相の断路器に連結される位置の高さよりも高くなるため、構成が複雑となり、荷重の伝達効率が低下する。具体的には、操作装置と各相の断路器とを連結する連結ロッドが三相の断路器にわたって一直線状にならないので、荷重の伝達効率が低下する。【０００７】
本発明は、上記に鑑みてなされたものであって、装置全体の高さを抑制するとともに、三相の断路器を一括して操作するための連結機構の構成を簡素化し、操作時の荷重の伝達効率を向上させることが可能なガス絶縁開閉装置を提供することを目的とする。
【課題を解決するための手段】
【０００８】
上述した課題を解決し、目的を達成するために、本発明に係るガス絶縁開閉装置は、長手方向を水平かつ互いに平行にして配置され上面視で前記長手方向に直交する方向に配列された一端相、中相および他端相から成る三相の遮断器タンクを有する三相の遮断器と、各相の遮断器の上部に設けられた第１のブッシングと、前記各相の遮断器の上部に設けられ、前記第１のブッシングから前記長手方向に間隔をおいて配置された各相の断路器と、前記各相の断路器の上部に設けられた第２のブッシングと、一端相の断路器と中相の断路器とを連結するとともに前記中相の断路器と他端相の断路器とを連結する断路器用連結ロッドに連結され、当該断路器用連結ロッドを駆動することで前記三相の断路器を一括して操作する断路器用操作装置と、を備え、中相の遮断器に接続された前記第２のブッシングは鉛直方向に延伸し、両端相の遮断器にそれぞれ接続された前記第２のブッシングは、各先端部が前記中相の遮断器に接続された前記第２のブッシングの先端部から離れるように互いに逆方向に傾斜し、前記中相の遮断器の高さは、前記断路器用連結ロッドが前記三相の断路器にわたって同一直線上に配置されるように、前記両端相の遮断器の高さよりも低く設定されていることを特徴とする。
【発明の効果】
【０００９】
本発明によれば、装置全体の高さを抑制するとともに、三相の断路器を一括して操作するための連結機構の構成を簡素化し、操作時の荷重の伝達効率を向上させることが可能となる、という効果を奏する。
【図面の簡単な説明】
【００１０】
【図１】図１は、実施の形態に係るガス絶縁開閉装置の構成を示す側面図である。
【図２】図２は、実施の形態に係るガス絶縁開閉装置の構成を示す正面図である。
【図３】図３は、比較例に係るガス絶縁開閉装置の構成を示す側面図である。
【図４】図４は、比較例に係るガス絶縁開閉装置の構成を示す正面図である。
【発明を実施するための形態】
【００１１】
以下に、本発明の実施の形態に係るガス絶縁開閉装置を図面に基づいて詳細に説明する。なお、この実施の形態によりこの発明が限定されるものではない。
【００１２】
実施の形態．
図１は、本実施の形態に係るガス絶縁開閉装置の構成を示す側面図である。図２は、本実施の形態に係るガス絶縁開閉装置の構成を示す正面図である。以下、図１および図２を参照して、本実施の形態に係るガス絶縁開閉装置の構成を説明する。
【００１３】
本実施の形態に係るガス絶縁開閉装置は、三相の遮断器１ａ〜１ｃがそれぞれ異なる遮断器タンクを備えて成る相分離型である。遮断器１ａ〜１ｃの遮断器タンクは、長手方向を水平かつ互いに平行にして配置されている。また、遮断器１ａ〜１ｃは、上面視で前記長手方向に直交する方向に配列され、配列方向の中央には中相の遮断器１ｂが配置され、遮断器１ｂの両側には両端相の遮断器１ａ，１ｃが配置されている。また、遮断器１ａ，１ｃは同じ高さで配置されているが、遮断器１ｂの高さは遮断器１ａ，１ｃの高さよりも低い。なお、遮断器１ｂおよびこれに接続された機器の相を中相とし、遮断器１ａおよびこれに接続された機器の相を一端相とし、遮断器１ｃおよびこれに接続された機器の相を他端相とする。
【００１４】
操作装置２は、遮断器１ａ〜１ｃを三相一括で開閉操作する装置である。操作装置２は、例えば遮断器１ａの一端に設けられている。
【００１５】
遮断器１ａ〜１ｃは、架台２０により直接的または間接的に支持されている。具体的には、遮断器１ａ，１ｃは架台２０により直接的に支持されているが、遮断器１ｂは、架台２０の頂部２０ａに設けられた凹状の部位２０ｂにて断路器７ｂの下端が支持されることにより、架台２０により間接的に支持されている。架台２０は設置面３０上に設置されている。
【００１６】
遮断器１ａは、その遮断器タンクの長手方向に離隔して配置されかつ斜め上方に引き出された二つの分岐引出口を備えており、当該二つの分岐引出口の一方には計器用変流器３ａを介してブッシング４ａ（第１のブッシング）が接続され、当該二つの分岐引出口の他方には母線５ａが接続されている。また、母線５ａには、前記長手方向におけるその一端に計器用変流器６ａを介して断路器７ａが接続されている。断路器７ａは、遮断器１ａの遮断器タンクの他端よりもさらに正面側に配置されている。断路器７ａは、例えば接地開閉器と一体に構成された接地開閉器付の断路器である。また、断路器７ａの上部には接地開閉器８ａが設けられている。さらに、接地開閉器８ａの上部にはブッシング９ａ（第２のブッシング）が設けられている。
【００１７】
なお、遮断器１ｂ，１ｃのそれぞれの上部に設けられる機器構成は、遮断器１ａの場合と同様である。すなわち、遮断器１ｂは、その遮断器タンクの長手方向に離隔して配置されかつ上方に引き出された二つの分岐引出口を備えており、当該二つの分岐引出口の一方には計器用変流器（図示せず）を介してブッシング（図示せず）が接続され、当該二つの分岐引出口の他方には母線（図示せず）および計器用変流器（図示せず）を介して接地開閉器付の断路器７ｂが接続されている。また、断路器７ｂの上部には接地開閉器８ｂが設けられ、接地開閉器８ｂの上部にはブッシング９ｂが設けられている。同様に、遮断器１ｃは、その遮断器タンクの長手方向に離隔して配置されかつ斜め上方に引き出された二つの分岐引出口を備えており、当該二つの分岐引出口の一方には計器用変流器（図示せず）を介してブッシング（図示せず）が接続され、当該二つの分岐引出口の他方には母線（図示せず）および計器用変流器（図示せず）を介して接地開閉器付の断路器７ｃが接続されている。また、断路器７ｃの上部には接地開閉器８ｃが設けられ、接地開閉器８ｃの上部にはブッシング９ｃが設けられている。
【００１８】
ここで、ブッシング９ａ〜９ｃの延伸方向について説明する。ブッシング９ｂは鉛直方向に延伸している。これに対し、ブッシング９ａ，９ｃは各先端部がブッシング９ｂの先端部から離れるように互いに逆方向に傾斜している。すなわち、ブッシング９ａは、前記長手方向に直交する平面内で先端部がブッシング９ｂの先端部から離れるように一定角度傾斜し、ブッシング９ｃは、同一平面内で先端部がブッシング９ｂの先端部から離れるように逆方向に同一角度傾斜している。このように、ブッシング９ｂの両側のブッシング９ａ，９ｃを互いに逆方向に傾斜させることで、遮断器間距離である相間距離を縮小しつつブッシング間に必要な絶縁距離を確保することができる。なお、ブッシング９ａに接続される接地開閉器８ａおよび断路器７ａも、ブッシング９ａと同様に傾斜している。また、ブッシング９ｃに接続される接地開閉器８ｃおよび断路器７ｃも、ブッシング９ｃと同様に傾斜している。
【００１９】
また、ブッシング４ａは、先端部がブッシング９ａの先端部から離れるように一定角度傾斜している。ブッシング４ａをブッシング９ａに対して傾斜させ、前記長手方向にブッシング４ａ，９ａ間の距離を確保することで、分岐引出口間の間隔を縮小しつつブッシング４ａ，９ａ間に必要な絶縁距離を確保することができる。同様に、遮断器１ｂに接続される一方のブッシング（図示せず）の先端部も遮断器１ｂに接続される他方のブッシング９ｂの先端部から離れるように一定角度傾斜し、遮断器１ｃに接続される一方のブッシング（図示せず）の先端部も遮断器１ｃに接続される他方のブッシング９ｃの先端部から離れるように一定角度傾斜している。
【００２０】
架台２０の側面には操作装置１０（断路器用操作装置）が設けられている。操作装置１０は、連結ロッド１５ａ〜１５ｃ（断路器用連結ロッド）を駆動することで三相の断路器７ａ〜７ｃを一括して操作する。
【００２１】
具体的には、操作装置１０はレバー１２を介して連結ロッド１５ａの一端に連結され、連結ロッド１５ａの他端は連結ロッド１５ｂの一端に連結されるとともにレバー５１ａを介して断路器７ａの操作軸５０ａに連結されている。また、連結ロッド１５ｂの他端は連結ロッド１５ｃの一端に連結されるとともにレバー５１ｂを介して断路器７ｂの操作軸５０ｂに連結されている。また、連結ロッド１５ｃの他端はレバー５１ｃを介して断路器７ｃの操作軸５０ｃに連結されている。レバー１２、連結ロッド１５ａ〜１５ｃ、レバー５１ａ〜５１ｃは連結機構を構成する。
【００２２】
本実施の形態では、断路器７ｂと断路器７ａとを連結する第１のロッド部分である連結ロッド１５ｂと、断路器７ｃと断路器７ｂとを連結する第２のロッド部分である連結ロッド１５ｃとが同一直線上に配置されるように、遮断器１ｂの高さが遮断器１ａ，１ｃの高さよりも低く設定されている。すなわち、中相の遮断器１ｂの高さをより低くすることにより、連結ロッド１５ａ〜１５ｃと断路器７ａ〜７ｃとの連結部１４ａ〜１４ｃが同じ高さとなり、その結果、連結ロッド１５ｂ，１５ｃが同一直線上に配置される。ここで、連結部１４ａは連結ロッド１５ａと連結ロッド１５ｂとレバー５１ａとの連結箇所、連結部１４ｂは連結ロッド１５ｂと連結ロッド１５ｃとレバー５１ｂとの連結箇所、連結部１４ｃは連結ロッド１５ｃとレバー５１ｃとの連結箇所である。
【００２３】
また、操作軸５０ａは、断路器７ａの可動接触子（図示せず）につながっており、シャフトシール１６ａを介して断路器７ａのタンクの外部に突出し、レバー５１ａを介して連結部１４ａにて連結ロッド１５ａ，１５ｂに連結されている。シャフトシール１６ａは、当該タンク内に密封される絶縁ガスを操作軸５０ａの貫通部から外部に漏れ出すことを防止するものである。同様に、操作軸５０ｂは、断路器７ｂの可動接触子（図示せず）につながっており、シャフトシール１６ｂを介して断路器７ｂのタンクの外部に突出し、レバー５１ｂを介して連結部１４ｂにて連結ロッド１５ｂ，１５ｃに連結されている。同様に、操作軸５０ｃは、断路器７ｃの可動接触子（図示せず）につながっており、シャフトシール１６ｃを介して断路器７ｃのタンクの外部に突出し、レバー５１ｃを介して連結部１４ｃにて連結ロッド１５ｃに連結されている。
【００２４】
操作装置１０は、開路または閉路操作の際、蓄勢源（図示せず）から操作力を得て、レバー１２を回動することで、連結ロッド１５ａ〜１５ｃを駆動する。この際、連結ロッド１５ｂ，１５ｃは一直線状の構成を保ったまま概略左右方向に駆動される。連結ロッド１５ａ〜１５ｃが駆動されることにより、レバー５１ａ〜５１ｃを介して操作軸５０ａ〜５０ｃが駆動され、断路器７ａ〜７ｃが一括で開路または閉路される。
【００２５】
このように、断路器７ａ，７ｂ間を連結する連結ロッド１５ｂおよび断路器７ｂ，７ｃ間を連結する連結ロッド１５ｃが、断路器７ａ〜７ｃにわたって同一直線上に配置されるように、遮断器１ｂの高さが遮断器１ａ，１ｃの高さよりも低く設定されている。
【００２６】
架台２０の側面には操作装置１１（接地開閉器用操作装置）が設けられている。操作装置１１は、連結ロッド２５（接地開閉器用連結ロッド）を駆動することで三相の接地開閉器８ａ〜８ｃを一括して操作する。連結ロッド２５は、連結ロッド１５ａ〜１５ｃと同様に分割された構造を有するが、図２では具体的な構成の図示を省略している。
【００２７】
本実施の形態では、遮断器１ｂの高さは連結ロッド１５ｂ，１５ｃが同一直線上に配置されるように調整されているので、一般に、接地開閉器８ｂと接地開閉器８ａとを連結する連結ロッド２５のロッド部分と、接地開閉器８ｃと接地開閉器８ｂとを連結する連結ロッド２５のロッド部分とが同一直線上に配置されるようにはならないが、それでもなお、遮断器１ａ〜１ｃの高さが等しい場合に比べると、連結ロッド２５は接地開閉器８ａ〜８ｃにわたってより直線に近くなる。なお、接地開閉器８ａ〜８ｃを設けない構成も可能である。
【００２８】
次に、本実施の形態の効果を比較例と比較しつつ説明する。図３は、比較例に係るガス絶縁開閉装置の構成を示す側面図、図４は、比較例に係るガス絶縁開閉装置の構成を示す正面図である。なお、図３および図４では、図１および図２に示した構成要素と同一のものには同一の符号を付している。
【００２９】
図３および図４に示すように、比較例に係るガス絶縁開閉装置は、遮断器１０１ａ〜１０１ｃ、遮断器１０１ａ〜１０１ｃの操作装置１０２、計器用変流器１０３ａ，１０６ａ、ブッシング１０４ａ、母線１０５ａ、接地開閉器付の断路器１０７ａ〜１０７ｃ、断路器１０７ａ〜１０７ｃの操作装置１１０、接地開閉器１０８ａ〜１０８ｃ、ブッシング１０９ａ〜１０９ｃ、接地開閉器１０８ａ〜１０８ｃの操作装置１１１、レバー１１２、連結ロッド１１５ａ〜１１５ｃ、シャフトシール１１６ａ〜１１６ｃ、および架台１２０等を備えている。以下では、比較例に係るガス絶縁開閉装置について、図１および図２に示す構成との相違を中心に説明する。
【００３０】
図３および図４では、ブッシング１０９ｂは鉛直方向に延伸し、ブッシング１０９ａ，１０９ｃは各先端部がブッシング１０９ｂの先端部から離れるように互いに逆方向に傾斜している。しかしながら、架台１２０の頂部１２０ａには凹状の部位が設けられておらず、遮断器１０１ｂの高さと、遮断器１０１ａ，１０１ｃの高さとが等しくなっている。そのため、ブッシング１０９ｂの高さｈは、図２のブッシング９ｂの高さＨよりも高くなり、ブッシング１０９ｂを組付けた装置全体の高さが輸送制限を超える可能性がある。そして、輸送制限を超える場合には、輸送時に少なくともブッシング１０９ｂを取り外して別送する必要があり、取り外しおよび組立の作業が必要になるとともに、輸送コストも増大する。これに対して、本実施の形態では、遮断器１ｂの高さを遮断器１ａ，１ｂの高さよりも低く設定することで、ブッシング９ｂの高さＨを比較例のブッシング１０９ｂの高さｈよりも低くすることができ、装置全体の一体輸送も可能となる。
【００３１】
また、図３および図４では、連結ロッド１１５ａ，１１５ｂと断路器１０７ａとの連結箇所である連結部１１４ａと、連結ロッド１１５ｂ，１１５ｃと断路器１０７ｂとの連結箇所である連結部１１４ｂと、連結ロッド１１５ｃと断路器１０７ｃとの連結箇所である連結部１１４ｃが同じ高さとならず、連結ロッド１１５ｂ，１１５ｃが同一直線上に配置されず、したがって、連結機構が複雑となり、荷重の伝達効率が悪くなる。これに対し、本実施の形態では、連結ロッド１５ｂ，１５ｃが同一直線上に配置されるので、連結機構が簡素化され、荷重の伝達効率が向上する。
【００３２】
以上説明したように、本実施の形態によれば、高さの制約となる中相の機器のみをより低く配置することで装置全体の高さを抑制するとともに、連結部１４ａ〜１４ｃの高さを統一することで三相の断路器７ａ〜７ｃの連結を一直線状にして断路器７ａ〜７ｃの連結機構の構成を簡素化し、断路器７ａ〜７ｃの操作時の荷重の伝達効率を向上させることができる。
【００３３】
また、遮断器１ａ〜１ｃ間の距離は組立作業性を確保するために必要な距離として定まるが、遮断器１ｂを遮断器１ａ，１ｃよりも低く配置することで、遮断器１ａ〜１ｃを同一の高さにした場合に比べて、遮断器１ａ，１ｃ間の距離を短くすることができ、ガス絶縁開閉装置の設置面積の縮小につながる。
【００３４】
また、本実施の形態によれば、連結部１４ａ〜１４ｃの高さを等しくすることで、連結ロッド２５についても接地開閉器８ａ〜８ｃにわたってより直線に近い形にすることができるので、接地開閉器８ａ〜８ｃの操作時の荷重の伝達効率の向上も期待できる。
【００３５】
なお、連結ロッド１５ｂと連結ロッド１５ｃとが同一直線上に配置される代わりに、連結ロッド２５が接地開閉器８ａ〜８ｃにわたって同一直線上に配置されるように、遮断器１ｂの高さを遮断器１ａ，１ｃの高さよりも低く設定することも可能である。この場合は、高さの制約となる中相の機器のみをより低く配置することで装置全体の高さを抑制するとともに、接地開閉器８ａ〜８ｃの連結機構の構成を簡素化し、接地開閉器８ａ〜８ｃ操作時の荷重の伝達効率を向上させることができる。
【産業上の利用可能性】
【００３６】
以上のように、本発明は、ガス絶縁開閉装置として有用である。
【符号の説明】
【００３７】
１ａ〜１ｃ，１０１ａ〜１０１ｃ  遮断器、２，１０，１１，１０２，１１０，１１１  操作装置、３ａ，６ａ，１０３ａ，１０６ａ  計器用変流器、４ａ，９ａ〜９ｃ，１０４ａ，１０９ａ〜１０９ｃ  ブッシング、５ａ，１０５ａ  母線、７ａ〜７ｃ，１０７ａ〜１０７ｃ  断路器、８ａ〜８ｃ，１０８ａ〜１０８ｃ  接地開閉器、１２，５１ａ〜５１ｃ，１１２  レバー、１４ａ〜１４ｃ，１１４ａ〜１１４ｃ  連結部、１５ａ〜１５ｃ，２５，１１５ａ〜１１５ｃ，１２５  連結ロッド、１６ａ〜１６ｃ，１１６ａ〜１１６ｃ  シャフトシール、２０  架台、２０ａ  頂部、２０ｂ  凹状の部位、３０  設置面、５０ａ〜５０ｃ  操作軸。
【要約】
三相の遮断器タンクが長手方向を水平かつ互いに平行にして配置された三相の遮断器（１ａ〜１ｃ）を備え、両端相の遮断器（１ａ，１ｃ）に設けられたブッシング（９ａ，９ｃ）が中相の遮断器（１ｂ）に設けられたブッシング（９ｂ）に対して傾斜したガス絶縁開閉装置において、中相の遮断器（１ｂ）の高さを両端相の断路器（１ａ，１ｃ）の高さよりも低くし、連結部（１４ａ〜１４ｃ）の高さを統一することで、連結ロッド（１５ｂ，１５ｃ）を同一直線上に配置させる。これにより、装置全体の高さを抑制するとともに、三相の断路器（７ａ〜７ｃ）の連結を直線状にして、連結機構の構成を簡素化し、操作時の荷重の伝達効率を向上させる。【図１】
0005546697.tif 000002
【図２】
0005546697.tif 000003
【図３】
0005546697.tif 000004
【図４】
0005546697.tif 000005